(57)【要約】【課題】迷惑電話を着信した際に、ユーザが入力する音声に対して音声変換を行う。【解決手段】ファクシミリ装置Ａは、電話番号検出部２３３と、迷惑電話番号記憶部２９３と、音声変換装置２０３と、一致検出部２３５と、を備え、電話番号検出部２３３により検出した発信者電話番号が、あらかじめ迷惑電話番号記憶部２９３に記憶された迷惑電話番号と一致した場合、送受話装置２０１から入力される音声信号を、音声変換装置２０３を用いて音声変換し、公衆回線網２へと送信する。これによって、迷惑電話を着信した際に、ユーザが入力する音声に対して音声変換を行うことが可能となる。【選択図】図１
2008131310.tif 000002
【特許請求の範囲】
【請求項１】
通信ネットワークに接続される電話装置であって、
着信した通話の発信者電話番号を検出する電話番号検出手段と、
迷惑電話番号をあらかじめ記憶する記憶手段と、
送受話装置から入力された音声を音声変換する音声変換手段と、
上記電話番号検出手段により検出した発信者電話番号が上記記憶手段に記憶された迷惑電話番号と一致した場合、上記送受話装置から入力された音声を上記音声変換手段を用いて音声変換して、上記通信ネットワークへ送信する制御手段と、を備えることを特徴とする電話装置。
【請求項２】
発信先電話番号が格納される電子電話帳を備え、
上記制御手段は、上記電話番号検出手段により検出した発信者電話番号が上記記憶手段に記憶された迷惑電話番号と一致し、かつ該発信者電話番号が上記電子電話帳に格納されている発信先電話番号と一致した場合、上記送受話装置から入力される音声を、上記音声変換手段による音声変換をしないで上記通信ネットワークへ送信することを特徴とする請求項１に記載の電話装置。
【請求項３】
通信ネットワークに接続される電話装置であって、
着信した通話が、発信者電話番号が自装置に通知されない非通知通話であることを検出する電話番号検出手段と、
送受話装置から入力された音声を音声変換する音声変換手段と、
上記電話番号検出手段が上記非通知通話であることを検出した場合、上記送受話装置から入力された音声を上記音声変換手段を用いて音声変換して、上記通信ネットワークへ送信する制御手段と、を備えることを特徴とする電話装置。
【請求項４】
通信ネットワークに接続される電話装置であって、
自装置から発信される通話の発信先電話番号を検出する電話番号検出手段と、
迷惑電話番号をあらかじめ記憶する記憶手段と、
送受話装置から入力された音声を音声変換する音声変換手段と、
上記電話番号検出手段により検出した発信先電話番号が上記記憶手段に記憶された迷惑電話番号と一致した場合、上記送受話装置から入力された音声を上記音声変換手段を用いて音声変換して、上記通信ネットワークへ送信する制御手段と、を備えることを特徴とする電話装置。
【請求項５】
発信先電話番号が格納される電子電話帳を備え、
上記制御手段は、上記電話番号検出手段により検出した発信先電話番号が上記記憶手段に記憶された迷惑電話番号と一致し、かつ該電話番号検出手段により検出した発信先電話番号が上記電子電話帳に格納される発信先電話番号と一致した場合、上記送受話装置から入力される音声を、上記音声変換手段による音声変換をしないで上記通信ネットワークへ送信することを特徴とする請求項４に記載の電話装置。
【請求項６】
通信ネットワークに接続される電話装置であって、
着信した通話の発信者電話番号を検出する電話番号検出手段と、
迷惑電話番号を記憶する記憶手段と、
上記電話番号検出手段により検出した発信者電話番号を、上記迷惑電話番号として上記記憶手段に記憶させる登録手段と、
送受話装置から入力された音声を音声変換する音声変換手段と、
上記登録手段によって、上記電話番号検出手段により検出した発信者電話番号が、上記迷惑電話番号として、上記記憶手段に記憶されたと同時に或いは記憶された後に、上記送受話装置から入力された音声を上記音声変換手段を用いて音声変換して、上記通信ネットワークへ送信する制御手段と、を備えることを特徴とする電話装置。
【請求項７】
上記通信ネットワークは、公衆回線網であることを特徴とする請求項１〜６のいずれか１項に記載の電話装置。
【請求項８】
上記通信ネットワークは、携帯電話網であることを特徴とする請求項１〜６のいずれか１項に記載の電話装置。
【請求項９】
通信ネットワークに接続される電話装置の制御方法であって、
着信した通話の発信者電話番号を検出する電話番号検出ステップと、
送受話装置から入力された音声を音声変換する音声変換ステップと、
上記電話番号検出ステップにて検出した発信者電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含むことを特徴とする電話装置の制御方法。
【請求項１０】
通信ネットワークに接続される電話装置の制御方法であって、
着信した通話が、発信者電話番号が自装置に通知されない非通知通話であることを検出する電話番号検出ステップと、
送受話装置から入力された音声を音声変換する音声変換ステップと、
上記電話番号検出ステップにて上記非通知通話であることを検出した場合、上記送受話装置から入力された音声を上記音声変換ステップにて音声変換して、上記通信ネットワークへ送信する制御ステップと、を含むことを特徴とする電話装置の制御方法。
【請求項１１】
通信ネットワークに接続される電話装置の制御方法であって、
自装置から発信される通話の発信先電話番号を検出する電話番号検出ステップと、
送受話装置から入力された音声を音声変換する音声変換ステップと、
上記電話番号検出ステップにて検出した発信先電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含むことを特徴とする電話装置の制御方法。
【請求項１２】
通信ネットワークに接続される電話装置の制御方法であって、
着信した通話の発信者電話番号を検出する電話番号検出ステップと、
上記電話番号検出ステップにて検出した発信者電話番号を、メモリ装置に記憶させる登録ステップと、
送受話装置から入力された音声を音声変換する音声変換ステップと、
上記登録ステップにて、上記電話番号検出ステップにて検出した発信者電話番号が、メモリ装置に記憶されたと同時に或いは記憶された後に、上記送受話装置から入力された音声を上記音声変換ステップにて音声変換して、上記通信ネットワークへ送信する制御ステップと、を含むことを特徴とする電話装置の制御方法。
【請求項１３】
請求項１〜８のいずれか１項に記載の電話装置を動作させるための制御プログラムであって、コンピュータを上記制御手段として機能させるための電話装置の制御プログラム。
【請求項１４】
請求項１３に記載の電話装置の制御プログラムが記録されたコンピュータ読取り可能な記録媒体。
【発明の詳細な説明】
【技術分野】
【０００１】
本発明は、音声変換を行った音声を送信する機能を有する電話装置、電話装置の制御方法、電話装置の制御プログラム、および該プログラムを記録した記録媒体に関するものである。
【背景技術】
【０００２】
現在、電話機やファクシミリ装置などの電話装置は、公衆回線網（Public Switched Telephone Networks；ＰＳＴＮ）に接続され、汎用性の高い通信手段として利用されている。中でも、電話機は最も簡便な通信手段であり、その普及率は極めて高い。また、ＰＤＣ（Personal Digital Cellular）やＰＨＳ(Personal Handy phone System)といった携帯型の通信端末機は、携帯電話網に接続され、その利便性から近年、急速な普及を果たしている。
【０００３】
ところで上記のような、公衆回線網や携帯電話網といった通信ネットワークに接続される電話装置において、いたずら電話や電話による勧誘などの迷惑電話を着信する場合、電話に応対する者は、受話器を取って会話を行うまで、その通話が迷惑電話であることを認識することができない。
【０００４】
特に、女性が１人で暮らしている場合は、他に電話装置に出る者がいないため、迷惑電話がかかってきてもその女性自身が応対しなければならない。しかしながら、迷惑電話をかける者は、１度迷惑電話をかけた先が女性の１人暮しであることを認識すると、何度も迷惑電話をかけてくる傾向にあるため、応対した者が女性であると、迷惑電話をかける者に、再び迷惑電話をかける相手として覚えられてしまう。
【０００５】
そこで、上記のような問題を解決する手段として、従来より、いたずら電話や電話による勧誘を始めとする、迷惑電話や音声による嫌がらせなどを防止する技術が求められている。中でも、女性の声を男性の声に変換した音声を通話相手に送信する技術が求められており、この種の先行技術としては、特許文献１や特許文献２に開示されるものがある。
【０００６】
まず、特許文献１には、装置本体にボイスチェンジスイッチを備え、通話中に該ボイスチェンジスイッチを操作することによって、リアルタイムに音声変換（ボイスチェンジ）を行い、女性の音声を男性の音声に変換する。そして、上記ボイスチェンジスイッチによって音声変換された音声を通話相手に送信する、という技術が開示されている。
【０００７】
また、特許文献２には、迷惑電話であった通話の発信者電話番号を迷惑電話番号として登録し、着信時の発信者電話番号が迷惑電話番号として記憶されている電話番号と一致した場合、予め録音していた応答メッセージの音声信号を女性の音声から男性の音声へと変換する、という技術が開示されている。
【０００８】
ここで、特許文献２の技術について説明する。
【０００９】
特許文献２に開示される電話装置は、迷惑電話であった通話の発信電話番号が迷惑電話番号として登録される記憶手段と、応答メッセージとして音声を録音して格納するメッセージ格納手段と、音声信号を変換して女性の音声を男性の音声に変換する音声変換手段と、発信電話番号通知機能により通知される発信電話番号を取得する電話番号取得手段と、発信電話番号が迷惑電話番号であったときに音声変換手段により変換された応答メッセージの音声信号を送信する制御手段と、を備える。
【００１０】
この電話装置において、電話を着信すると、発信者電話番号通知サービスにより電話番号取得手段が発信者電話番号を取得する。このとき、着信した電話が迷惑電話であった場合、特定の登録方法（例えば、備付の電話帳登録キーを押下する）によって、上記発信者電話番号を、迷惑電話番号として記憶手段に登録する。
【００１１】
そして、次回以降の着信にて、上記電話番号取得手段が取得した発信者電話番号が、上記記憶手段に登録されている迷惑電話番号と一致すると、上記制御手段は、上記メッセージ格納手段に格納された応答メッセージを、上記音声変換手段によって男性の音声へと音声変換する。そして、上記音声変換手段によって生成された男性の音声を通話相手に送信する。
【００１２】
これによって、迷惑電話であった通話の発信者電話番号を迷惑電話番号として登録しておき、着信した通話が迷惑電話であった場合に、応答メッセージとして録音した女性の音声を、男性の音声へと変換して通話相手に送信することができる。従って、電話に応対した者が女性であることを相手に悟られることなく対応することができるため、迷惑電話や音声による嫌がらせなどを撃退することができる。
【特許文献１】特開２００３−１０１６１２公報（２００３年４月４日公開）
【特許文献２】特開２００６−９４２７２公報（２００６年４月６日公開）
【発明の開示】
【発明が解決しようとする課題】
【００１３】
しかしながら、上記特許文献１の技術では、ユーザがボイスチェンジスイッチを操作することで音声変換を行う構成であるため、通話開始後にユーザ自身が毎回その通話が迷惑電話か否を判断し、手動操作により音声変換を開始する必要があり、操作が非常に煩雑であるという問題がある。また、依然として通話開始前にその電話が迷惑電話であるか否か判別することができないという問題もある。
【００１４】
また、上記特許文献２の技術では、メッセージ格納手段にて格納した応答メッセージの音声を変換して送信する構成であるため、予め録音しておいた応答メッセージを変換して相手に聞かせることしかできず、ユーザが入力する音声に対して音声変換を行うことができないという問題がある。
【００１５】
また、上記特許文献１、２共通の問題点として、迷惑電話を着信する際にしか音声変換を行うことができないという問題がある。即ち、ユーザから迷惑電話番号へと発信する際には、音声変換を行うことができない。
【００１６】
本発明は、上記の問題点に鑑みてなされたものであり、その目的は、迷惑電話がかかってきた際に、ユーザが入力する音声に対して音声変換を行うことが可能な電話装置を提供することにある。
【００１７】
また、本発明の他の目的は、ユーザから迷惑電話番号へと発信する際に、音声変換を行うことが可能な電話装置を提供することにある。
【課題を解決するための手段】
【００１８】
本発明に係る電話装置は、上記課題を解決するために、通信ネットワークに接続される電話装置であって、着信した通話の発信者電話番号を検出する電話番号検出手段と、迷惑電話番号をあらかじめ記憶する記憶手段と、送受話装置から入力された音声を音声変換する音声変換手段と、上記電話番号検出手段により検出した発信者電話番号が上記記憶手段に記憶された迷惑電話番号と一致した場合、上記送受話装置から入力された音声を上記音声変換手段を用いて音声変換して、上記通信ネットワークへ送信する制御手段と、を備えることを特徴としている。
【００１９】
上記の構成によれば、電話番号検出手段によって検出した発信者電話番号と、記憶手段にあらかじめ記憶された迷惑電話番号とが一致しているか否かを判断する。そして、これらが一致した場合、送受話装置から得られた音声に対して音声変換手段を用いて音声変換を行い、通信ネットワークへ送出する。即ち、迷惑電話がかかってきた際に、発信者電話番号と迷惑電話番号とが一致した場合、送受話装置から得られた音声に対して音声変換手段を用いて音声変換を行うことで、ユーザが入力した音声を自動的に、かつリアルタイムで音声変換することが可能な構成である。
【００２０】
なお、本発明においては、音声変換とは、変換前の音声を別種の音声に変換すること、例えば、女性の音声を男性の音声に変換することを意味する。
【００２１】
従って、迷惑電話がかかってきた際に、ユーザが入力する音声に対して音声変換を行うことが可能になるという効果を奏する。
【００２２】
なお、発信先電話番号が格納される電子電話帳を備え、上記制御手段は、上記電話番号検出手段により検出した発信者電話番号が上記記憶手段に記憶された迷惑電話番号と一致し、かつ該発信者電話番号が上記電子電話帳に格納されている発信先電話番号と一致した場合、上記送受話装置から入力される音声を、上記音声変換手段による音声変換をしないで上記通信ネットワークへ送信してもよい。
【００２３】
上記の構成によれば、本発明に係る電話装置から発信する発信先電話番号のリストとしての電子電話帳をさらに備え、制御手段は、電話番号検出手段により検出した発信者電話番号が記憶手段に記憶された迷惑電話番号と一致し、かつ該発信者電話番号が電子電話帳に含まれる発信先電話番号と一致する場合においては、送受話装置から入力される音声に対し、音声変換手段による音声変換をしない。これによって、電子電話帳に登録されている知人等に対しては、たとえ迷惑電話番号として記憶されていても音声変換が行われないため、知人等に対して音声変換による不快感を与えないで済む。
【００２４】
本発明に係る電話装置は、上記課題を解決するために、通信ネットワークに接続される電話装置であって、着信した通話が、発信者電話番号が自装置に通知されない非通知通話であることを検出する電話番号検出手段と、送受話装置から入力された音声を音声変換する音声変換手段と、上記電話番号検出手段が上記非通知通話であることを検出した場合、上記送受話装置から入力された音声を上記音声変換手段を用いて音声変換して、上記通信ネットワークへ送信する制御手段と、を備えることを特徴としている。
【００２５】
上記の構成によれば、着信した通話が、発信者電話番号が自装置に通知されない非通知通話である場合、即ち、発信者が番号非通知発信、公衆電話発信、表示圏外等からの発信であった場合、送受話装置から得られた音声に対して音声変換手段を用いて音声変換を行い、通信ネットワークへ送出する。
【００２６】
従って、非通知通話がかかってきた際に、ユーザが入力する音声に対して音声変換を行うことが可能になるという効果を奏する。
【００２７】
本発明に係る電話装置は、上記課題を解決するために、通信ネットワークに接続される電話装置であって、自装置から発信される通話の発信先電話番号を検出する電話番号検出手段と、迷惑電話番号をあらかじめ記憶する記憶手段と、送受話装置から入力された音声を音声変換する音声変換手段と、上記電話番号検出手段により検出した発信先電話番号が上記記憶手段に記憶された迷惑電話番号と一致した場合、上記送受話装置から入力された音声を上記音声変換手段を用いて音声変換して、上記通信ネットワークへ送信する制御手段と、を備えることを特徴している。
【００２８】
上記の構成によれば、電話番号検出手段にて検出した自装置から発信される通話の発信先電話番号と、記憶手段にあらかじめ記憶された迷惑電話番号とが一致しているか否かを判断する。そして、これらが一致した場合、送受話装置から得られた音声に対して音声変換手段を用いて音声変換を行い、通信ネットワークへ送出する。即ち、ユーザから迷惑電話番号へ発信する際に、送受話装置から得られた音声に対して音声変換手段を用いて音声変換を行う。そして、ユーザが入力した音声を自動的に、かつリアルタイムで音声変換することが可能な構成である。
【００２９】
従って、迷惑電話番号に発信する際に、ユーザが入力する音声に対して音声変換を行うことが可能になるという効果を奏する。
【００３０】
なお、発信先電話番号が格納される電子電話帳を備え、上記制御手段は、上記電話番号検出手段により検出した発信先電話番号が上記記憶手段に記憶された迷惑電話番号と一致し、かつ該電話番号検出手段により検出した発信先電話番号が上記電子電話帳に格納される発信先電話番号と一致した場合、上記送受話装置から入力される音声を、上記音声変換手段による音声変換をしないで上記通信ネットワークへ送信してもよい。
【００３１】
上記の構成によれば、本発明に係る電話装置から発信する発信先電話番号のリストとしての電子電話帳をさらに備える。そして制御手段は、電話番号検出手段により検出した自装置から発信される通話の発信先電話番号が記憶手段に記憶された迷惑電話番号と一致し、かつ該自装置から発信される通話の発信先電話番号が電子電話帳に含まれる発信先電話番号と一致する場合においては、送受話装置から入力される音声に対し、音声変換手段による音声変換をしない。これによって、電子電話帳に登録されている知人等に対しては、たとえ迷惑電話番号として記憶されていても音声変換が行われないため、知人等に対して音声変換による不快感を与えないで済む。
【００３２】
本発明に係る電話装置は、上記課題を解決するために、通信ネットワークに接続される電話装置であって、着信した通話の発信者電話番号を検出する電話番号検出手段と、迷惑電話番号を記憶する記憶手段と、上記電話番号検出手段により検出した発信者電話番号を、上記迷惑電話番号として上記記憶手段に記憶させる登録手段と、送受話装置から入力された音声を音声変換する音声変換手段と、上記登録手段によって、上記電話番号検出手段により検出した発信者電話番号が、上記迷惑電話番号として、上記記憶手段に記憶されたと同時に或いは記憶された後に、上記送受話装置から入力された音声を上記音声変換手段を用いて音声変換して、上記通信ネットワークへ送信する制御手段と、を備えることを特徴としている。
【００３３】
上記の構成によれば、登録手段によって、電話番号検出手段により検出した発信者電話番号が、迷惑電話番号として記憶手段に記憶されたと同時に、或いは記憶された後に、送受話装置から得られた音声に対して音声変換手段を用いて音声変換を行い、通信ネットワークへ送出する。即ち、迷惑電話の発信者電話番号が記憶手段に記憶された以降であればいつでも、ユーザが入力した音声を自動的に、かつリアルタイムで音声変換することが可能な構成である。
【００３４】
従って、かかってきた電話が迷惑電話であることをユーザが判断すれば、直ちに、入力する音声に対して音声変換を行うことが可能になるという効果を奏する。
【００３５】
なお、本発明に係る電話装置は通信ネットワークとして、公衆回線網或いは携帯電話網に接続されるのが望ましい。
【００３６】
本発明に係る電話装置の制御方法は、上記課題を解決するために、通信ネットワークに接続される電話装置の制御方法であって、着信した通話の発信者電話番号を検出する電話番号検出ステップと、送受話装置から入力された音声を音声変換する音声変換ステップと、上記電話番号検出ステップにて検出した発信者電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含むことを特徴としている。
【００３７】
上記の方法によれば、電話番号検出ステップにて検出した発信者電話番号と、メモリ装置にあらかじめ記憶された迷惑電話番号とが一致しているか否かを判断する。そして、これらが一致した場合、送受話装置から得られた音声に対して音声変換ステップにて音声変換を行い、通信ネットワークへ送出する。即ち、発信者電話番号と迷惑電話番号とが一致した場合、送受話装置から得られた音声に対して音声変換ステップにて音声変換を行うことで、ユーザが入力した音声を自動的に、かつリアルタイムで音声変換することが可能である。
【００３８】
従って、迷惑電話がかかってきた際に、ユーザが入力する音声に対して音声変換を行うことが可能になるという効果を奏する。
【００３９】
本発明に係る電話装置の制御方法は、上記課題を解決するために、通信ネットワークに接続される電話装置の制御方法であって、着信した通話が、発信者電話番号が自装置に通知されない非通知通話であることを検出する電話番号検出ステップと、送受話装置から入力された音声を音声変換する音声変換ステップと、上記電話番号検出ステップにて上記非通知通話であることを検出した場合、上記送受話装置から入力された音声を上記音声変換ステップにて音声変換して、上記通信ネットワークへ送信する制御ステップと、を含むことを特徴としている。
【００４０】
上記の方法によれば、着信した通話が、発信者電話番号が自装置に通知されない非通知通話である場合、即ち、発信者が番号非通知発信、公衆電話発信、表示圏外等からの発信であった場合、送受話装置から得られた音声に対して音声変換ステップにて音声変換を行い、通信ネットワークへ送出する。
【００４１】
従って、非通知通話がかかってきた際に、ユーザが入力する音声に対して音声変換を行うことが可能になるという効果を奏する。
【００４２】
本発明に係る電話装置の制御方法は、上記課題を解決するために、通信ネットワークに接続される電話装置の制御方法であって、自装置から発信される通話の発信先電話番号を検出する電話番号検出ステップと、送受話装置から入力された音声を音声変換する音声変換ステップと、上記電話番号検出ステップにて検出した発信先電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含むことを特徴としている。
【００４３】
上記の方法によれば、電話番号検出ステップにて検出した自装置から発信される通話の発信先電話番号と、メモリ装置にあらかじめ記憶された迷惑電話番号とが一致しているか否かを判断する。そして、これらが一致した場合、送受話装置から得られた音声に対して音声変換ステップにて音声変換を行い、通信ネットワークへ送出する。即ち、ユーザから迷惑電話番号へ発信する際に、送受話装置から得られた音声に対して音声変換ステップにて音声変換を行う。そして、ユーザが入力した音声を自動的に、かつリアルタイムで音声変換することが可能である。
【００４４】
従って、迷惑電話番号に発信する際に、ユーザが入力する音声に対して音声変換を行うことが可能になるという効果を奏する。
【００４５】
本発明に係る電話装置の制御方法は、上記課題を解決するために、通信ネットワークに接続される電話装置の制御方法であって、着信した通話の発信者電話番号を検出する電話番号検出ステップと、上記電話番号検出ステップにて検出した発信者電話番号を、メモリ装置に記憶させる登録ステップと、送受話装置から入力された音声を音声変換する音声変換ステップと、上記登録ステップにて、上記電話番号検出ステップにて検出した発信者電話番号が、メモリ装置に記憶されたと同時に或いは記憶された後に、上記送受話装置から入力された音声を上記音声変換ステップにて音声変換して、上記通信ネットワークへ送信する制御ステップと、を含むことを特徴としている。
【００４６】
上記の方法によれば、登録ステップにて、電話番号検出ステップにて検出した発信者電話番号がメモリ装置に記憶されたと同時に、或いは記憶された後に、送受話装置から得られた音声に対して音声変換ステップにて音声変換を行い、通信ネットワークへ送出する。即ち、迷惑電話の発信者電話番号がメモリ装置に記憶された以降であればいつでも、ユーザが入力した音声を自動的に、かつリアルタイムで音声変換することが可能である。
【００４７】
従って、かかってきた電話が迷惑電話であることをユーザが判断すれば、直ちに、入力する音声に対して音声変換を行うことが可能になるという効果を奏する。
【００４８】
なお、上記電話装置は、コンピュータによって実現してもよく、この場合には、コンピュータを上記各手段として動作させることにより上記電話装置をコンピュータにて実現させる電話装置の制御プログラム、およびそれを記録したコンピュータ読み取り可能な記録媒体も、本発明の範疇に入る。
【発明の効果】
【００４９】
以上のように、本発明に係る電話装置は、通信ネットワークに接続される電話装置であって、着信した通話の発信者電話番号を検出する電話番号検出手段と、迷惑電話番号をあらかじめ記憶する記憶手段と、送受話装置から入力された音声を音声変換する音声変換手段と、上記電話番号検出手段により検出した発信者電話番号が上記記憶手段に記憶された迷惑電話番号と一致した場合、上記送受話装置から入力された音声を上記音声変換手段を用いて音声変換して、上記通信ネットワークへ送信する制御手段と、を備える構成である。従って、迷惑電話がかかってきた際に、ユーザが入力する音声に対して音声変換を行うことが可能になるという効果を奏する。
【００５０】
また、本発明に係る電話装置は、通信ネットワークに接続される電話装置であって、着信した通話が、発信者電話番号が自装置に通知されない非通知通話であることを検出する電話番号検出手段と、送受話装置から入力された音声を音声変換する音声変換手段と、上記電話番号検出手段が上記非通知通話であることを検出した場合、上記送受話装置から入力された音声を上記音声変換手段を用いて音声変換して、上記通信ネットワークへ送信する制御手段と、を備える構成である。従って、非通知通話がかかってきた際に、ユーザが入力する音声に対して音声変換を行うことが可能になるという効果を奏する。
【００５１】
また、本発明に係る電話装置は、通信ネットワークに接続される電話装置であって、自装置から発信される通話の発信先電話番号を検出する電話番号検出手段と、迷惑電話番号をあらかじめ記憶する記憶手段と、送受話装置から入力された音声を音声変換する音声変換手段と、上記電話番号検出手段により検出した発信先電話番号が上記記憶手段に記憶された迷惑電話番号と一致した場合、上記送受話装置から入力された音声を上記音声変換手段を用いて音声変換して、上記通信ネットワークへ送信する制御手段と、を備える構成である。従って、迷惑電話番号に発信する際に、ユーザが入力する音声に対して音声変換を行うことが可能になるという効果を奏する。
【００５２】
また、本発明に係る電話装置は、通信ネットワークに接続される電話装置であって、着信した通話の発信者電話番号を検出する電話番号検出手段と、迷惑電話番号を記憶する記憶手段と、上記電話番号検出手段により検出した発信者電話番号を、上記迷惑電話番号として上記記憶手段に記憶させる登録手段と、送受話装置から入力された音声を音声変換する音声変換手段と、上記登録手段によって、上記電話番号検出手段により検出した発信者電話番号が、上記迷惑電話番号として、上記記憶手段に記憶されたと同時に或いは上記記憶手段に記憶された記憶された後に、上記送受話装置から入力された音声を上記音声変換手段を用いて音声変換して、上記通信ネットワークへ送信する制御手段と、を備える構成である。従って、かかってきた電話が迷惑電話であることをユーザが判断すれば、直ちに、入力する音声に対して音声変換を行うことが可能になるという効果を奏する。
【００５３】
また、本発明に係る電話装置の制御方法は、通信ネットワークに接続される電話装置の制御方法であって、着信した通話の発信者電話番号を検出する電話番号検出ステップと、送受話装置から入力された音声を音声変換する音声変換ステップと、上記電話番号検出ステップにて検出した発信者電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含む。従って、迷惑電話がかかってきた際に、ユーザが入力する音声に対して音声変換を行うことが可能になるという効果を奏する。
【００５４】
また、本発明に係る電話装置の制御方法は、通信ネットワークに接続される電話装置の制御方法であって、着信した通話が、発信者電話番号が自装置に通知されない非通知通話であることを検出する電話番号検出ステップと、送受話装置から入力された音声を音声変換する音声変換ステップと、上記電話番号検出ステップにて上記非通知通話であることを検出した場合、上記送受話装置から入力された音声を上記音声変換ステップにて音声変換して、上記通信ネットワークへ送信する制御ステップと、を含む。従って、非通知通話がかかってきた際に、ユーザが入力する音声に対して音声変換を行うことが可能になるという効果を奏する。
【００５５】
また、本発明に係る電話装置の制御方法は、通信ネットワークに接続される電話装置の制御方法であって、自装置から発信される通話の発信先電話番号を検出する電話番号検出ステップと、送受話装置から入力された音声を音声変換する音声変換ステップと、上記電話番号検出ステップにて検出した発信先電話番号がメモリ装置にあらかじめ記憶された迷惑電話番号と一致した場合、上記送受話装置から入力された音声を上記音声変換ステップにて音声変換して、上記通信ネットワークへ送信する制御ステップと、を含む。従って、迷惑電話番号に発信する際に、ユーザが入力する音声に対して音声変換を行うことが可能になるという効果を奏する。
【００５６】
また、本発明に係る電話装置の制御方法は、通信ネットワークに接続される電話装置の制御方法であって、着信した通話の発信者電話番号を検出する電話番号検出ステップと、上記電話番号検出ステップにて検出した発信者電話番号を、メモリ装置に記憶させる登録ステップと、送受話装置から入力された音声を音声変換する音声変換ステップと、上記登録ステップにて、上記電話番号検出ステップにて検出した発信者電話番号が、メモリ装置に記憶されたと同時に或いはメモリ装置に記憶された後に、上記送受話装置から入力された音声を上記音声変換ステップにて音声変換して、上記通信ネットワークへ送信する制御ステップと、を含む。
【００５７】
従って、かかってきた電話が迷惑電話であることをユーザが判断すれば、直ちに、入力する音声に対して音声変換を行うことが可能になるという効果を奏する。
【発明を実施するための最良の形態】
【００５８】
本発明の実施の形態について図１から図８に基づいて説明すると以下の通りである。
〔実施の形態１〕
図２に、ファクシミリ装置（電話装置）Ａ、Ｂおよび電話機（電話装置）Ｃ、Ｄを電話装置として備える、通信ネットワーク１の構成図を示す。ここでは、上記各電話装置は全て、ナンバーディスプレイ（登録商標）等の発信者電話番号通知サービスを受信する機能を有する。またここで、電話機Ｃ、Ｄは、自装置に設けられる送受話器等を通じて、後述する公衆回線網２（通信ネットワーク）に接続された他の電話装置と音声による通話を行うことができる機能、即ち通話機能を有する電話装置である。そして、ファクシミリ装置Ａ、Ｂは、上記通話機能を有し、かつファクシミリ通信機能を有する電話装置である。なお、ここでファクシミリ通信機能とは、他のファクシミリ装置から受信した画像データを紙などの記録媒体に印刷したり、自装置が格納する画像データを他のファクシミリ装置に送信したりする機能のことを指す。
【００５９】
図２に示すように、上記各電話装置はそれぞれ通信ネットワーク１内の公衆回線網２に接続されており、該各電話装置同士が公衆回線網２を介して相互に通信することができる。なお、実施の形態１および２では、図２に示すように、公衆回線網に接続される電話装置についての実施例を示している。しかしながら本発明は、発信者電話番号通知サービスを有するあらゆる通信ネットワーク上に接続される電話装置において実現されることが可能である。例えば、上記通信ネットワークは携帯電話網であり、上記各電話装置は携帯電話網に接続される携帯電話、ＰＨＳ等であっても良い。
【００６０】
ここで、通信ネットワーク１内における電話装置の１つである、本発明に係る電話装置を備えるファクシミリ装置Ａの動作について図１を用いて以下に述べる。なお上述のように、上記各電話装置は、公衆回線網２に接続されている。また、上記各電話装置同士が公衆回線網２を介して相互に通信を行うことを可能にするため、該各電話装置を識別するための識別番号、即ち電話番号が、該各電話装置に対して固有に与えられている。ここで識別番号とは、上記各電話装置を識別するための発信者ＩＤ、即ち発信者の電話番号であり、ここでは、ファクシミリ装置Ａには「１２３  ４５６  ７８９０」が、ファクシミリ装置Ｂには「２３４  ５６７  ８９０１」が、電話機Ｃには「３４  ５６７  ８９０１２」が、電話機Ｄには「４  ５６７  ８９０１２３」が、電話番号としてそれぞれ与えられているものとする。
【００６１】
図１はファクシミリ装置Ａの構成を示すブロック図である。ファクシミリ装置Ａは、回線網制御装置２１、変復調装置２２、制御装置２３、表示装置２４、入力装置２５、印刷装置２６、画像読取装置２７、ＲＯＭ（Read Only Memory）２８、メモリ装置２９、送受話装置（送受話装置）２０１、音声入出力装置２０２および音声変換装置（音声変換手段）２０３から構成される。この中で、メモリ装置２９は、汎用メモリ部２９１と電話番号記憶部２９２とを有する。さらに電話番号記憶部２９２は迷惑電話番号記憶部（記憶装置）２９３と電子電話帳記憶部（電子電話帳）２９４とを有する。この中で、回線網制御装置２１、変復調装置２２、および制御装置２３の変復調制御部（図示しない）は、回線処理部を形成している。
【００６２】
ここで、回線処理部は、加入者線交換機（例えば、電話機Ｃ）とファクシミリ装置Ａとの間の直流ループの形成および切断を行っている。そして、上記直流ループが形成されている間は、上記加入者線交換機とファクシミリ装置Ａとが、相互に通信することができる。
【００６３】
そこで、ファクシミリ装置Ａの待機状態では、回線処理部は、上記直流ループを切断することで、回線を切断する。そして上記加入者線交換機から着信があり、ユーザが受話器をオフフックすると、回線処理部は、上記直流ループを形成することで回線を捕捉し、通話相手との通信を行う。このようにして、回線処理部は、待機状態と通信を行っている状態とを切り替えている。
【００６４】
回線網制御装置２１は、公衆回線網２が要求する電気的特性（例えば、ＩＥＥＥ（The Institute of Electrical and Electronics Engineers）８０２．３など）を有する。回線網制御装置２１は、ファクシミリ装置Ａと公衆回線網２とを接続しており、上記直流ループを形成したり切断したりすることによって、回線の捕捉および切断を行っている。また、回線網制御装置２１はそれ以外にも、公衆回線網２の接続状態の監視、公衆回線網２を介して音声信号の送受信などを行う。
【００６５】
変復調装置２２は、例えばモデム等が使用され、発信時にＤＴＭＦ信号（Dial Tone Multi Frequency）を公衆回線網２側へと送信することで、電話番号を加入者線交換機へと伝える。なお、ＤＴＭＦ信号とは、下記のような信号である。
【００６６】
即ち、ＤＴＭＦ信号は、プッシュ方式の電話機などで、ボタンを押すたびに発信される音信号であり、プッシュ音、トーン信号と呼ばれることもある。１つのボタンを押すと２種類の高さの音が発信され、この信号音を元に電話番号を割り出す。高音系４種類と低音系４種類からそれぞれ１音ずつを組み合わせるため、「０」から「９」までの数字と、「＊」「♯」、「Ａ」から「Ｄ」までのアルファベットとの、合わせて１６種類を表現することができる。
【００６７】
また、変復調装置２２は、ファクシミリデータの送信を行うために、画像データのデジタル信号を公衆回線網２に適したアナログ信号に変調する。また、変復調装置２２は、公衆回線網２から受信したアナログ信号のファクシミリデータを復調する。また、着呼の際に、着信した通話の発信者電話番号（以下、「発信者電話番号」）を後述する表示装置２４に表示することで、発信者電話番号に対応する発信者を通話に応対する前に認識させる機能、即ちＣＬＩＰ機能（Calling Line Identification Presentation）に関与する電気信号に対しても変復調を行う。
【００６８】
制御装置２３は、ＣＰＵ（Central Processing Unit）から成り、図示しない変復調制御部に加え、電話番号検出部（電話番号検出手段）２３３、記憶制御部（登録手段）２３４、一致検出部（制御手段）２３５を備える。変復調制御部は、上記回線網制御装置２１および変復調装置２２と共に回線処理部を形成し、変復調装置２２に対して指示を送ることによって、変復調装置２２における上記の一連の動作を制御する。また、電話番号検出部２３３、記憶制御部２３４、および一致検出部２３５は、下記のような動作をする。
【００６９】
即ち、まず、電話番号検出部２３３で発信者電話番号を検出する。そして、ユーザによって特定の操作が為されたことを記憶制御部２３４が認識することによって、上記電話番号検出部２３３で検出した発信者電話番号を、後述する迷惑電話番号記憶部２９３に記憶する。次に、その後の着信において、上記と同様の方法によって検出した発信者電話番号と、上記迷惑電話番号記憶部２９３にあらかじめ記憶された電話番号とが一致するか否かを、一致検出部２３５で判断する。そして、これらが一致した場合、一致検出部２３５は後述する音声変換装置２０３をオン状態とする。これによって、送受話装置２０１から入力された音声は音声変換装置２０３によって音声変換された状態で公衆回線網２に送出される。
【００７０】
なおこのとき、発信者電話番号を迷惑電話番号として迷惑電話番号記憶部２９３へ記憶するための特定の操作とは、電話番号検出部２３３により検出した発信者電話番号を、迷惑電話番号として迷惑電話番号記憶部２９３に記憶する、という指令を記憶制御部２３４に与えるための操作のことを指す。このような操作としては例えば、後述する入力装置２５の１つとして設けられる電話番号登録キーを押下し、それを記憶制御部２３４が検出することにより、検出した発信者電話番号を迷惑電話番号記録部２９３へと登録する、という操作が挙げられる。
【００７１】
制御手段における上記一連の動作の詳細な説明については後述する。
【００７２】
また、制御装置２３はその他にも、ファクシミリ装置Ａを構成する各装置に対して指示を与える出力制御部２３６を備える。出力制御部２３６は例えば、表示装置２４に対してメッセージデータや発信者電話番号などの情報を表示させるよう指示を与える。なお制御装置２３による、各装置の動作の決定には、主としてプログラムが格納されているＲＯＭ２８やメモリ装置２９の汎用メモリ部２９１からの情報が参照される。また、それらに加え、入力装置２５からの入力情報、各構成装置の状態を示す情報、公衆回線網２からの信号など、様々な情報が参照される。しかしながら、これらの構成は従来から公知の技術であり、かつ本発明には直接関係しないため、図１では、参照される情報の経路については一部記載を省略している。
【００７３】
表示装置２４は、メッセージデータや発信者電話番号などの情報を表示させる。このような、表示装置２４の表示方式は特に限定されるものではなく、例えば、液晶表示装置、プラズマディスプレイ、ＣＲＴ、有機ＥＬ表示装置など、従来から公知の種々の表示装置を用いることができる。
【００７４】
入力装置２５は、例えばダイヤルキーなどから構成され、特定の操作を行うことによって、記憶制御部２３４に対して、電話番号検出部２３３にて検出した発信者電話番号を、後述する電話番号記憶部２９２の迷惑電話番号記憶部２９３に記憶させるよう指示を送る。なお、入力装置２５は、発信先電話番号を入力する数字キーや、オフフック・オンフックするフックキーや、応答メッセージの音声の変換を指示する音声変換キーなどの機能キーも併せて備えている。
【００７５】
印刷装置２６は、回線網制御装置２１によってファクシミリ受信された画像データおよび後述する画像読取装置２７によって読み取られた画像データを、紙などの記録媒体に印刷する。なお印刷装置２６の印刷方式は特に限定されるものではなく、例えば、サーマル式、電子写真方式、インクジェット方式のプリンタなど、従来から公知の種々の印刷装置を用いることができる。
【００７６】
画像読取装置２７は、ファクシミリ送信しようとする画像や複写しようとする画像を読み取り、画像データを出力する。なお画像読取装置２７は、レンズとＣＣＤ（Charge Coupled Device）ラインセンサとの組み合わせによる縮小光学系読取方式、ロッドレンズアレーを用いた密着センサ方式など、従来から公知の種々の画像読取装置を用いることができる。
【００７７】
ＲＯＭ２８には主として、制御装置２３がファクシミリ装置Ａを構成する各装置に対して与える指示が、制御プログラムとして格納される。ＲＯＭ２８は、ファクシミリ装置Ａの電源が切断されても格納された内容が消えないように、不揮発性メモリとするのが望ましい。
【００７８】
メモリ装置２９は、上述したように、汎用メモリ部２９１と電話番号記憶部２９２とから成り、電話番号記憶部２９２はさらに、迷惑電話番号記憶部２９３と電子電話帳記憶部２９４とから成る。
【００７９】
ここで汎用メモリ部２９１は、ファクシミリを送信するためのファクシミリデータや受信したファクシミリのファクシミリデータを始めとした各種ファクシミリデータが保存されている。また汎用メモリ部２９１は、画像読取装置２７が読み取った画像データや、制御装置２３がファクシミリ装置Ａを構成する各装置に対して与える指示の制御プログラム等の各種データを、保存したり、一時的に記憶したりする。なお、図１にて汎用メモリ部２９１に保存されるデータ、および後述する図７において汎用メモリ部２９１から出力されるデータは、主にファクシミリデータである。しかしながら、汎用メモリ部２９１が出力したり、保存したりするデータは必ずしもファクシミリデータのみではなく、画像データやメッセージデータ、発信者電話番号の表示情報等が含まれていてもよい。従って、図１および後述する図７においては、汎用メモリ部２９１が出力したり、保存したりするデータについて、単に「データ」と記載している。
【００８０】
また、電話番号記憶部２９２の迷惑電話番号記憶部（記憶手段）２９３には、迷惑電話の発信者電話番号が迷惑電話番号として記憶される。そして、電話番号記憶部２９２の電子電話帳記憶部２９４には、発信先電話番号が格納される。迷惑電話番号記憶部２９３および電子電話帳記憶部２９４についての詳細な説明は後述する。なおメモリ装置２９は、ファクシミリ装置Ａの電源が切断されても格納された内容が消えないように、不揮発性メモリとするのが望ましい。
【００８１】
送受話装置２０１は、例えば、送受話器として設けられたり、ファクシミリ装置本体に設けられたりする。ユーザが送受話装置２０１から音声を入力すると、音声信号として、回線処理部を介して公衆回線網２に送出される。また、送受話装置２０１は、音声入出力装置２０２からの音声を出力する。
【００８２】
音声入出力装置２０２は上述する通話機能を有する装置である。音声入出力装置２０２は、回線網制御装置２１が公衆回線網２を介して受信した信号を音声信号、即ち音声へと変換し、これを送受話装置２０１に出力する。また、送受話装置２０１から入力された音声を音声信号へと変換し、音声変換装置２０３を介して回線網制御装置２１に出力する。音声入出力装置２０２には例えば、スピーチ回路が使用される。
【００８３】
音声変換装置２０３は、ＤＳＰ（Digital Signal Processor）などが使用され、音声入出力装置２０２から入力される音声を、女性の声から男性の声へと音声変換し、これを回線網制御装置２１へと出力する。なお音声変換装置２０３は、入力された音声を必ず音声変換するとは限らない。制御装置２３の一致検出部２３５からの指示によって該音声変換装置２０３のオフ状態を維持し、入力された音声信号を変換せずにそのまま回線網制御装置２１へと出力することも可能である。また、音声変換装置２０３によって音声変換された後の音声には、例えば男性の声色等が選ばれるが、この限りではない。
【００８４】
次に、発信者電話番号通知サービスを受信する機能を有するファクシミリ装置Ａの動作について、図３を用いて説明する。
【００８５】
図３は、着呼信号（ベル信号）を受信したときの、ファクシミリ装置Ａの動作を示すフローチャートである。今、ステップＳ１０１において、図２に示す電話機Ｃが、発信者電話番号を通知した状態でファクシミリ装置Ａへの発呼処理を開始したとする。
【００８６】
まずステップＳ１０２において、公衆回線網２を介して、着呼信号を受信する。この着呼信号は、第１着呼信号としての一次応答信号と、第２着呼信号としての二次応答信号との２種類の着呼信号から成る。この一次応答信号および二次応答信号はそれぞれ、上記直流ループを形成する。
【００８７】
ステップＳ１０３では、ステップＳ１０２にて受信した着呼信号から、発信者を識別する情報としてコーラーＩＤ（Caller Identification code：以下、「ＣＩＤ」）を電話番号検出部２３３にて検出することで、発信者電話番号を検出する。
【００８８】
ここで、ＣＩＤから発信者電話番号およびその他の情報を検出する処理について述べる。
【００８９】
図４は、発信者番号通知サービスにより加入者線交換機（例えば、電話機Ｃ）から送信される情報のデータフォーマットを示す図である。この情報は、図４に示すように、６０ｍｓ以上連続する「１」の信号（マークビット）と、最大１２８バイトの情報Ｄ１とから成る制御信号である。この中でＣＩＤは、情報Ｄ１内の情報Ｄ２に含まれる、パラメータ（１）（以下、「パラメータ」）Ｄ３に含まれる。なお図４では、ＣＩＤはパラメータ（１）に含まれているが、この限りではない。即ち、発信者電話番号を示す情報は、図４に示すパラメータ（１）からパラメータ（ｎ）までのいずれに含まれていても良い。
【００９０】
発信者電話番号通知サービスによって、発信者電話番号が通知された状態で、ファクシミリ装置Ａが着呼信号を受信したとする。このとき、上記パラメータＤ３に含まれるＣＩＤは、発信者電話番号を通知する旨の情報を含むパラメータ種別Ｄ４、後述する情報内容のサイズを含む情報内容長Ｄ５、および発信者電話番号を含む情報内容Ｄ６という、３種類の情報を有する。ここで、発信者電話番号を示す情報は、パラメータ種別Ｄ４および情報内容Ｄ６に含まれており、それらを電話番号検出部２３３が検出する。これによって、ＣＩＤから発信者電話番号を示す情報を検出することができる。なお、ＣＩＤを受信すると、通常、発信者電話番号が表示装置２４に表示される。
【００９１】
ところで、発信者電話番号通知サービスでは、電話番号を通知するか否かを、発信者が任意に制限することが可能である。例えば、発信者が電話番号を通知したくない場合には、発信先の電話番号の前に「１８４」を入力して発信することで発信者電話番号通知サービスを制限し、電話番号を通知しない、即ち発信者電話番号を非通知とすることができる。また、公衆電話からの発信や、表示圏外（海外からの着信やＩＰ電話装置からの着信等、発信者電話番号の通知が不可能である発信）からの発信等においても発信者電話番号は通知されない。
【００９２】
このように、着信した電話が、発信者電話番号がファクシミリ装置Ａに通知されない通話である場合、即ち着信した電話が非通知通話である場合、ＣＩＤは非通知通話である旨の情報としてパラメータＤ３に含まれる。具体的には、上記パラメータ種別Ｄ４は「発信電話番号非通知理由」を示す値となる。なおこの「発信電話番号非通知理由」を示す値は、全ての非通知通話において同じ値である。また、併せて、情報内容Ｄ６が有する情報として、発信者電話番号が通知されない理由に応じて、発信者が通知しない場合は「Ｐ」（Privacy：ユーザ拒否）、公衆電話からの発信は「Ｃ」（Coin ＆ Card：公衆電話発信）、国際通話、表示圏外である場合は「Ｏ」（Out of Service：サービス提供不可）のアルファベット１文字を有する。そして、このときのパラメータ種別Ｄ４および情報内容Ｄ６を電話番号検出部２３３が検出する。これによって、ＣＩＤから非通知通話を示す情報、即ち、番号非通知発信、公衆電話発信、表示圏外等からの発信を示す情報を検出することができる。
【００９３】
図４に示すデータは一次応答信号によって上述した電話機Ｃとファクシミリ装置Ａとの間の直流ループが形成される際に送信される情報（ＭＯＤＥＭ信号）として送出される。或いは一次応答信号によって上記直流ループが形成される前に送信される情報受信端末起動信号と共に送出される。このとき、上記データは電話機Ｃから、規格ＩＴＵ−Ｔ勧告Ｖ．２３（伝送速度：１２００ｂｐｓ、ＦＳＫ（周波数変調）方式、ビット値：２１００Ｈｚが「０」、１３００Ｈｚが「１」）に準拠した信号として、回線網制御装置２１へと送信され、続いて変復調装置２２へと送信される。変復調装置２２は、上記データを復調し、周波数を１２００分の１秒の周期で監視する。そして、該周波数が１３００Ｈｚである場合にはビット値が「１」、２１００Ｈｚである場合にはビット値が「０」であると判断する。その後、変復調装置２２にて復調された上記データは、制御装置２３へと送信される。復調された上記データは上述したような、マークビット、最大１２８バイトの情報Ｄ１とから成る制御信号として制御装置２３の電話番号検出部２３３へと送信される。そして、電話番号検出部２３３は復調された上記データから、パラメータ種別Ｄ４および情報内容Ｄ６を取り出す。これによって、上記データに含まれる発信者電話番号と発信電話番号非通知理由示す情報、即ち、番号非通知発信、公衆電話発信、表示圏外等からの発信を示す情報とを、ＣＩＤから検出することができる。
【００９４】
ステップＳ１０４では、ステップＳ１０３にて検出した発信者電話番号が、まず、受信拒否リストに記憶された電話番号であるか否かが判断される。受信拒否リストは、ユーザが登録した特定の発信者電話番号から成り、汎用メモリ部２９１に記憶されている。また受信拒否リストは、不特定多数を対象として送信される広告などから成る受信データであって、ファクシミリ装置Ａのユーザが受信を望まない受信データ（ジャンクファックス）の受信拒否や、ファクシミリ装置Ａのユーザが通話を望まない通話の着信の拒否、いわゆる着信拒否のために設けられる。ジャンクファックスの送信元や着信拒否したい通話の発信者電話番号を、受信拒否の対象として受信拒否リストに記憶することで、以後、受信拒否リストに記憶された発信者電話番号から送信が為された場合、これを受信拒否する。なお、ここでの受信拒否リストは、ジャンクファックスと着信拒否したい通話との受信についてのみ拒否する構成であるがこの限りではない。即ち、ファクシミリ装置Ａのユーザが外部からの受信を望まない全ての情報に対して、その情報の受信を拒否する構成であってもよい。ここでは、ステップＳ１０３にて検出した発信者電話番号が受信拒否リストに記憶された電話番号であればステップＳ１０５へと進み、そうでなければステップＳ１０６へと進む。ステップＳ１０５では、回線は捕捉されず、ファクシミリ装置Ａの処理は終了する。
【００９５】
ステップＳ１０６では、ファクシミリ装置Ａによって、ファクシミリ受信が可能（ＲＣＶ  Ｒｅａｄｙ：Receive Ready）であるか否かが判断される。例えば、記録紙は搭載されているか、トナーは十分に充填されているか、メモリの空き容量は確保されているか、等がチェックされる。その結果、ファクシミリ受信が可能であればステップＳ１０７へと進み、ファクシミリ受信が不可能であればステップＳ１１０へと進む。
【００９６】
ステップＳ１０７では、回線が捕捉され、ステップＳ１０８でファクシミリ受信が行われる。ここでは、ファクシミリ装置Ａは、ＩＴＵ−Ｔ勧告に基づいたファクシミリ通信フェーズのうち、「Ｐｈａｓｅ（フェーズ）  Ｂ」〜「Ｐｈａｓｅ  Ｄ」で構成される、いわゆるファクシミリ受信ルーチンに入り、ファクシミリの受信が行われる。なお、ファクシミリ通信フェーズは、「Ｐｈａｓｅ  Ａ」〜「Ｐｈａｓｅ  Ｅ」によって構成され、「Ｐｈａｓｅ  Ａ」では着呼信号および応答信号により呼設定が行われ、「Ｐｈａｓｅ  Ｂ」では呼設定後のファクシミリ送受信のための準備、同期状態の確認などの前処理が行われる。「Ｐｈａｓｅ  Ｃ」では、送信側のファクシミリ装置からファクシミリデータの送信が行われる。「Ｐｈａｓｅ  Ｄ」では受信側のファクシミリ装置でのファクシミリデータの受信が終了したことが確認され、「Ｐｈａｓｅ  Ｅ」では呼の復旧、即ち回線の切断が行われる。そしてステップＳ１０９では、回線が切断され、ファクシミリ受信処理が終了する。なおこの回線の切断は、ファクシミリ受信が正常に終了した後、或いはエラーの発生などにより、処理の途中で異常終了した後の何れの場合であってもよい。
【００９７】
一方、ファクシミリ受信ができず、ファクシミリ装置Ａがファクシミリ受信ルーチンに入れない場合、ステップＳ１１０によりファクシミリ装置Ａは鳴動を開始し、ステップＳ１１１では、送受話装置２０１がオフフックされたか否かが判断される。ステップＳ１１２では着呼信号が継続しているか判断する。即ち、ステップＳ１１０からステップＳ１１２を繰り返すことで、着呼信号の継続中に送受話装置２０１がオフフックされたか否かを判断している。ステップＳ１１１で送受話装置２０１がオフフックされることなく着呼信号が無くなった場合、ステップＳ１１３に進み待機状態となり、ファクシミリ装置Ａは処理を終了する（Ｓ１１４）。
【００９８】
ステップＳ１１１において送受話装置２０１がオフフックされた場合、ステップＳ１１５にて、上述の回線処理部によって回線が捕捉される。このとき、音声通話が開始される（Ｓ１１７）前に、ステップＳ１１６にて、ステップＳ１０３にて検出した発信者電話番号と迷惑電話番号記憶部２９３に記憶されている迷惑電話番号とを、制御装置２３の一致検出部２３５にて比較する。そして、ステップＳ１０３にて検出した発信者電話番号が迷惑電話番号記憶部２９３に記憶される迷惑電話番号と同一でなければステップＳ１１７へと、同一であればステップＳ１１８へと進む。
【００９９】
また、ステップＳ１１８では、ステップＳ１０３にて検出した発信者電話番号と電子電話帳記憶部２９４に記憶されている電話番号とを、一致検出部２３５にて比較する。そして、ステップＳ１０３にて検出した発信者電話番号が電子電話帳に記憶された電話番号と同一であればステップＳ１１７へと、同一でなければステップＳ１１９へと進む。
【０１００】
ここで、迷惑電話番号記憶部２９３の構成について述べる。図５は、迷惑電話番号記憶部２９３の概略構成を示すブロック図である。迷惑電話番号記憶部２９３は迷惑電話番号を１つまたは２つ以上記憶することが可能である迷惑電話番号リストとして格納されている。迷惑電話番号記憶部２９３に記憶された電話番号は、ユーザが発信するための電話番号ではなく、迷惑電話であることを示す電話番号である。そのため、ユーザは迷惑電話番号記憶部２９３に記憶された電話番号に対して、該電話番号に対応する発信先を認識する必要がない。従って、迷惑電話番号記憶部２９３は発信者電話番号を迷惑電話番号として記憶するだけの構成であれば充分である。
【０１０１】
なお、図５に示すように迷惑電話番号記憶部２９３には、発信電話番号非通知理由を示す情報、即ち、番号非通知発信、公衆電話発信、表示圏外等からの発信を示す情報を記憶させておくことも可能である。この場合の記憶方法としては、発信者電話番号を記憶させる場合と同様に、通話中に、特定の操作によって記憶しても構わない。しかしながら、上述のように、それぞれの非通知通話に含まれる情報は、
「発信電話番号非通知理由」に関する情報（全ての非通知通話において共通）＋非通知である理由に応じたアルファベット１文字
であり、非通知通話を着信するまでもなく情報内容を認識できるものである。そのため、初期の非通知通話を着信する前段階、即ち、非通知通話を着信して、上記特定の操作を行い、迷惑電話番号記憶部２９３に記憶する前段階において、発信電話番号非通知理由を示す情報を、予め迷惑電話番号記憶部２９３に記憶させておくのが好ましい。これによって、ユーザが手動による操作を行うことなく、発信電話番号非通知理由を示す情報を迷惑電話番号記憶部２９３に記憶することができるため、ユーザの負担が軽減する。
【０１０２】
迷惑電話番号記憶部２９３の構成としては、例えば、下記に示すような構成が望ましい。
【０１０３】
即ち、図５に示すように、迷惑電話番号記憶部２９３に、２９３ａ・２９３ｂ・２９３ｃ・…・２９３ｊ・…、という具合に、１つまたは２つ以上の迷惑電話番号記憶ブロックを設ける。そして、上記各迷惑電話番号記憶ブロックに対して、１つの上記迷惑電話番号記憶ブロックにつき迷惑電話番号を１つ記憶する。即ち、図５を例に考えると、迷惑電話番号記憶ブロック２９３ａには、図２に示すファクシミリ装置Ｂの電話番号「２３４  ５６７  ８９０１」が記憶される。また、迷惑電話番号記憶ブロック２９３ｂには、図２に示す電話機Ｃの電話番号「３４  ５６７  ８９０１２」が記憶される。
【０１０４】
なお、迷惑電話番号記憶部２９３に非通知通話である旨の情報を記憶する場合、図５の２９３ｃ、２９３ｄ、および２９３ｅのように、番号非通知発信、公衆電話発信、表示圏外等からの発信を、別々に上記迷惑電話番号記憶ブロックに記憶しても構わない。また、上述した「発信電話番号非通知理由」を記憶することで、非通知通話である旨の情報を１つの上記迷惑電話番号記憶ブロックにまとめて記憶しても構わない。
【０１０５】
さらに、非通知通話である旨の情報は、必ずしも迷惑電話番号記憶部２９３に記憶される必要はなく、非通知通話に対して音声変換を行うための構成として、必ずしも記憶手段を設ける必要はない。即ち、非通知通話を着信した際、電話番号検出部２３３が非通知通話である旨の情報を検出することで、一致検出部２３５が音声変換装置２０３をオン状態とする構成であればよく、そのための構成としては、例えば下記のような構成が考えられる。
【０１０６】
即ち、電話番号検出部２３３が非通知通話である旨の情報を検出したら、その情報を一致検出部２３５に送信する。そして一致検出部２３５は上記非通知通話である旨の情報を受信することによって、音声変換装置２０３をオン状態とする構成が考えられる。
【０１０７】
続いて、電子電話帳記憶部２９４の構成について述べる。図６は、電子電話帳記憶部２９４の概略構成を示すブロック図である。電子電話帳は、ユーザが発信するための電話番号を記憶している。そのため、迷惑電話番号記憶部２９３とは異なり、発信先電話番号および該発信先電話番号に対応する発信先の名称を記憶する機能を有する必要がある。
【０１０８】
しかしながら、上記の機能を有する電子電話帳に関しては従来から公知の技術で達成され得るものに過ぎず、加えて本発明にて使用される電子電話帳は、上記の機能以外に特別な機能を要求するものではない。従って、本発明にて使用される電子電話帳は従来から公知の種々の電子電話帳を用いることができる。
【０１０９】
上記のような電子電話帳記憶部２９４の構成としては、例えば、下記に示すような構成が望ましい。
【０１１０】
即ち、図６に示すように、電子電話帳記憶部２９４に、２９４ａ・２９４ｂ・２９４ｃ・…・２９４ｊ・…、という具合に、１つまたは２つ以上の電話帳記憶ブロックを設ける。そして、上記各電話帳記憶ブロックに対して、１つの上記電話帳記憶ブロックにつき発信先電話番号を１つ、そして該発信先電話番号に対応する発信先の名称を１つ記憶する。図６を例に考えると、電話帳記憶ブロック２９４ａには、図２に示すファクシミリ装置Ｂの電話番号「２３４  ５６７  ８９０１」と、ファクシミリ装置Ｂに対応する発信先の名称「田中  太郎」とが記憶される。また、電話帳記憶ブロック２９４ｂには、図２に示す電話機Ｄの電話番号「４  ５６７  ８９０１２３」と、電話機Ｄに対応する発信先の名称「鈴木  次郎」とが記憶される。
【０１１１】
なお、実施の形態１および２では、メモリ装置２９の電話番号記憶部２９２に電子電話帳記憶部２９４を設け、そこに電子電話帳を格納している。しかしながら、本発明で使用される電子電話帳を格納するための構成はこれに限らず、例えば電子電話帳は、メモリ装置２９の汎用メモリ部２９１に格納されるような構成であってもよい。
【０１１２】
ステップＳ１１６において、発信者電話番号と迷惑電話番号とが一致しなかった場合、およびステップＳ１１８において、発信者電話番号と電子電話帳に記憶されている発信先電話番号とが一致した場合、ステップＳ１１７に進み、音声通話が開始される。このとき制御装置２３の一致検出部２３５は、音声変換装置２０３のオフ状態を維持し、音声変換は行わない。従って、入力された音声は通常通話と同じ状態で、音声信号として回線網制御装置２１を介して公衆回線網２へと送信される。また、電話番号検出部２３３で検出した発信者電話番号は、記憶制御部２３４に送信される。
【０１１３】
ステップＳ１１７にて通常音声による音声通話が開始されると、ステップＳ１２０において、入力装置２５を用いて特定の操作を実施することによってステップＳ１２１へと進む。そしてステップＳ１２１では、発信者電話番号を迷惑電話番号として迷惑電話番号記憶部２９３へ記憶することができる。
【０１１４】
迷惑電話番号記憶部２９３に記憶されていない発信者電話番号から着信があった場合、ユーザはステップＳ１１７で実際に通常音声による音声通話を開始するまで、その着信が迷惑電話番号であるか否かを判別することはできない。
【０１１５】
この後、ステップＳ１１７にて音声通話を開始することによって上記着信が迷惑電話であることを判別する。ここでは、ステップＳ１１７にて音声通話が開始されてからステップＳ１２２にて送受話装置２０１のオフフックの解除が確認されるまでの間、即ち着信相手との通話中、ファクシミリ装置Ａは、特定の操作が行われたか否か（Ｓ１２０）の監視と、送受話装置がオンフックされたか否か（Ｓ１２２）の監視を繰り返し行っている。
【０１１６】
ステップＳ１２０で、ユーザによって特定の操作が為されたことを記憶制御部２３４が検出することでステップＳ１２１へと進み、制御装置２３の記憶制御部２３４は、発信者電話番号を、迷惑電話番号記憶部２９３に記憶させる。
【０１１７】
一方、ステップＳ１１６において、発信者電話番号と迷惑電話番号とが一致し、かつステップＳ１１８において、発信者電話番号と電子電話帳に記憶されている発信先電話番号とが一致しなかった場合、ステップＳ１１９に進み、音声通話が開始される。このとき制御装置２３の一致検出部２３５は、音声変換装置２０３をオン状態とし、音声変換を行う。従って、入力された音声は例えば、女性の音声を男性の音声へと音声変換され、その音声が音声信号として回線網制御装置２１を介して公衆回線網２へと送信される。なお、音声変換後の音声は例えば男性の声色が選ばれるがこの限りではなく、本発明に係る音声変換装置において、音声変換後の音声は、どのような音声が使用されてもよい。
【０１１８】
また、上述のように本発明に係る音声変換装置については、例えばＤＳＰを用いて、入力された音声に対して周波数変換を行うことによって音声を変換する方法が挙げられる。しかしながら、本発明に係る音声変換装置２０３の構成としては上記のものだけに限らない。即ち、ユーザが送受話装置２０１を介して音声信号を送出する際、即ち通話を行う際において、送出した音声をリアルタイムで音声変換を行うことができる構成でさえあれば、従来から公知の種々の音声変換装置を用いることができる。
【０１１９】
ステップＳ１２２およびステップＳ１２３では、送受話装置がオフフック状態であるか否かを監視している。ここで、送受話装置２０１がオフフック状態でないことを確認することによって、ステップＳ１２４にて回線が切断され、ステップＳ１１３に進み待機状態となる。そして、ファクシミリ装置Ａは処理を終了する（Ｓ１１４）。
【０１２０】
このようにして、次回以降の着信において迷惑電話番号からの着信があった場合、送受話装置のオフフックと同時に、ユーザからの音声を音声変換して通話相手に送信することができる。
【０１２１】
ところで、図３に示すフローチャートでは、発信者電話番号を迷惑電話番号として迷惑電話番号記憶部２９３へ記憶した（Ｓ１２１）後も、通常音声による音声通話（Ｓ１１７）が続けられる。そして、次回以降の着信にて、電話番号検出部２３３が取得した発信者電話番号が、迷惑電話番号記憶部２９３に登録されている迷惑電話番号と一致することで初めて、音声変換を行った音声による通話（Ｓ１１９）が可能となる。
【０１２２】
しかしながら、本発明に係る電話装置における音声変換の方法はこれに限らない。即ち、ステップＳ１２１にて発信者電話番号を迷惑電話番号として迷惑電話番号記憶部２９３に記憶してから、ステップＳ１２３にて送受話装置２０１のオフフック状態でないことを確認するまでの間に、音声変換を行った音声に切り替えて通話を行う構成も考えられる。
【０１２３】
そのような構成の電話装置としては、例えば、下記のようなものが考えられ、その構成について図１を用いて説明する。
【０１２４】
即ち、図１に示す電話装置が着呼信号を受信すると、上述のように、着呼信号から、ＣＩＤを電話番号検出部２３３にて検出することで、発信者電話番号を検出する。そして、着信した通話が迷惑電話であった場合、特定の操作が為されたことを記憶制御部２３４が検出することによって、上記迷惑電話の発信者電話番号が、迷惑電話番号として迷惑電話番号記憶部２９３に記憶される。
【０１２５】
その際に、記憶制御部２３４は、一致検出部２３５に対し、現在着信している通話の発信者電話番号が迷惑電話記憶部２９３に記憶された旨の情報をフィードバックする。そして、一致検出部２３５は、フィードバックされた記憶制御部２３４からの情報を受け取ることによって、音声変換装置２０３をオン状態とし、音声変換を行う、という構成が考えられる。
【０１２６】
このようにして、迷惑電話番号からの着信があった場合において、ユーザからの音声を音声変換して通話相手に送信することができる。
〔実施の形態２〕
上述の実施の形態１では、迷惑電話番号からの着信があった場合において、送受話装置のオフフックと同時に、ユーザからの音声を音声変換して通話相手に送信する構成を示した。しかしながら、本発明に係る電話装置は、迷惑電話番号の着信時のみならず、ユーザから迷惑電話番号へと発信する場合においても音声変換を行うことができる。
【０１２７】
以下、図７および図８を用いて説明を行う。なお、図７において、図１で示した構成要素と同一の符号を付した構成要素のうち、特に断りのない部分については、上記構成要素と同等の機能を有するものとし、その説明を省略する。
【０１２８】
図７は、本実施の形態２のファクシミリ装置Ａの構成を示すブロック図である。ファクシミリ装置Ａは公衆回線網（通信ネットワーク）２に接続されている。またファクシミリ装置Ａは、回線網制御装置２１、変復調装置２２、制御装置２３、入力装置２５、印刷装置２６、画像読取装置２７、ＲＯＭ（Read Only Memory）２８、メモリ装置２９、送受話装置（送受話装置）２０１、音声入出力装置２０２および音声変換装置（音声変換手段）２０３から構成される。さらにメモリ装置２９は汎用メモリ部２９１と、迷惑電話番号記憶部（記憶手段）２９３と電子電話帳記憶部（電子電話帳）２９４とを有する電話番号記憶部２９２と、から成る。この中で、回線網制御装置２１、変復調装置２２、および制御装置２３の変復調制御部（図示しない）は、回線処理部を形成している。
【０１２９】
ここで、制御装置２３はＣＰＵ（Central Processing Unit）から成り、図示しない変復調制御部に加え、自装置から発信される通話の発信先電話番号（以下、「発信電話番号」）を検出する電話番号検出部（電話番号検出手段）２３３、一致検出部（制御手段）２３５を備える。なお、ここで言う発信電話番号とは、ファクシミリ装置Ａから、公衆回線網２に接続された他の電話装置（例えば、ファクシミリ装置Ｂ）に発信する際の、該他の電話装置の電話番号である。変復調制御部は、上記回線網制御装置２１および変復調装置２２と共に回線処理部を形成し、変復調装置２２に対して指示を送ることによって、変復調装置２２における上記の一連の動作を制御する。また、電話番号検出部２３３、一致検出部２３５は、下記のような動作をする。
【０１３０】
即ち、電話番号検出部２３３を用いて検出した発信電話番号と、上記迷惑電話番号記憶部２９３にあらかじめ記憶された電話番号とが一致するか否かを、一致検出部２３５にて判断する。そして、これらが一致した場合、一致検出部２３５は音声変換装置２０３をオン状態とする。これによって、送受話装置２０１から入力された音声は音声変換装置２０３によって音声変換された状態で公衆回線網２に送出される。制御手段における上記一連の動作の詳細な説明については後述する。
【０１３１】
なお、電話番号検出部２３３は、例えば、下記のような機能をさらに有していても構わない。
【０１３２】
即ち、電話番号検出部２３３が、着信した通話の発信者電話番号を検出できる機能をさらに有する。そして、電話番号検出部２３３が検出した発信者電話番号と、上記迷惑電話番号記憶部２９３にあらかじめ記憶された電話番号とが一致するか否かを、一致検出部２３５で判断する。そして、これらが一致した場合、一致検出部２３５は音声変換装置２０３をオン状態とする。これによって、送受話装置２０１から入力された音声は音声変換装置２０３によって音声変換された状態で公衆回線網２に送出される。
【０１３３】
また、制御装置２３はその他にも、ファクシミリ装置Ａを構成する各装置に対して指示を与える出力制御部２３６を備える。出力制御部２３６は例えば、汎用メモリ部２９１に格納されるデータを、変復調装置２２に出力する。なお制御装置２３による、各装置の動作の決定には、主としてプログラムが格納されているＲＯＭ２８やメモリ装置２９の汎用メモリ部２９１からの情報が参照される。また、それらに加え、入力装置２５からの入力情報、各構成装置の状態を示す情報、公衆回線網２からの信号など、様々な情報が参照される。しかしながら、これらの構成は従来から公知の技術であり、かつ本発明には直接関係しないため、図７では、参照される情報の経路については一部記載を省略している。
【０１３４】
図８は、ファクシミリ装置Ａがファクシミリ装置Ｂに対して発信したときの動作を示すフローチャートである。今、ファクシミリ装置Ａを使用して、ファクシミリ装置Ｂへと発呼処理を開始したとする。
【０１３５】
なお、本実施の形態２では、迷惑電話の発信者電話番号を迷惑電話番号記憶部２９３に記憶した後、即ちユーザから発信を行う状態からの動作についてのみ説明している。それに伴い、それ以前の動作については記載を省略している。これは、上述のように迷惑電話を着信してから、該迷惑電話の電話番号を迷惑電話番号記憶部２９３に記憶するまでの動作は、本実施の形態１と同じであり、かつ実際ユーザが発信する場合においては、これらの動作および構成を必要としないためである。また、それに関連して、図８に示すフローチャートについても、あらかじめ迷惑電話番号記憶部２９３に迷惑電話番号が記憶された状態を想定した上で、本発明に係る電話装置の動作を示している。
【０１３６】
まず、ステップＳ２０２で、入力装置２５により発信電話番号を入力する。入力装置２５によって発信電話番号を入力する方法としては例えば、発信電話番号を入力する数字キーを押下することが挙げられる。そして、電話番号検出部２３３によって、発信電話番号を検出する。
【０１３７】
ステップＳ２０３では、ファクシミリを送信するか否かが判断される。送信する場合、ステップＳ２０４〜Ｓ２０６のファクシミリ送信ルーチンに入り、ファクシミリの送信が行われ、回線が切断される。なおこの回線の切断は、ファクシミリ送信が正常に終了した後、或いはエラーの発生などにより、処理の途中で異常終了した後の何れの場合であってもよい。
【０１３８】
一方、ファクシミリ送信を行わない場合はステップＳ２０７へ進む。ステップＳ２０７では、送受話装置２０１がオフフックされたか否かを判断する。ステップＳ２０７においてオフフックが確認されない場合、ステップＳ２０８にて回線の捕捉を中断するか否かを判断する。ステップＳ２０８において回線の捕捉を中断しない場合はステップＳ２０７にて再度送受話装置２０１がオフフックされたか否かを判断し、回線の捕捉を中断する場合はステップＳ２０９へと進み、ステップＳ２０９にて待機状態となり、ファクシミリ装置Ｂへの発信処理を終了する（Ｓ２１０）。
【０１３９】
ステップＳ２０７で送受話装置２０１のオフフックが確認されると、ステップＳ２１１で回線を捕捉して、公衆回線網２を介してファクシミリ装置Ｂの発呼処理を開始する。ステップＳ２１２では、電話番号検出部２３３によって検出された発信電話番号、即ちユーザが入力した発信電話番号が、迷惑電話番号記憶部２９３に記憶されている電話番号、即ち迷惑電話番号と一致するか否かを一致検出部２３５にて判断する。またステップＳ２１４では、上記発信電話番号が、電子電話帳記憶部２９４に登録されている発信先電話番号と一致するか否かを、一致検出部２３５にて判断する。
【０１４０】
ステップＳ２１２において、上記発信電話番号と上記迷惑電話番号とが一致しなかった場合、またはステップＳ２１４において、上記発信電話番号と電子電話帳に記憶されている発信先電話番号とが一致した場合、ステップＳ２１３に進み、音声通話が開始される。このとき一致検出部２３５は、音声変換装置２０３のオフ状態を維持し、音声変換は行わない。従って、送受話装置２０１から入力された音声は通常通話と同じ状態で、音声信号として回線網制御装置２１を介して公衆回線網２へと送信される。
【０１４１】
一方、ステップＳ２１２において、上記発信電話番号と上記迷惑電話番号とが一致し、かつステップＳ２１４において、上記発信電話番号と電子電話帳に記憶されている発信先電話番号とが一致しなかった場合、ステップＳ２１５へと進み、音声通話が開始される。このとき一致検出部２３５は、音声変換装置２０３をオン状態とし、音声変換を行う。従って、入力された音声は例えば、女性の音声を男性の音声へと音声変換され、その音声が音声信号として回線網制御装置２１を介して公衆回線網２へと送信される。なお、音声変換後の音声は男性の声色等が選ばれるがこの限りではなく、本発明に係る音声変換装置においては、どのような音声が使用されてもよい。
【０１４２】
また、上述のように本発明に係る音声変換装置については、例えばＤＳＰを用いて、入力された音声に対して周波数変換を行うことによって音声を変換する方法が挙げられる。しかしながら、本発明に係る音声変換装置２０３の構成としては上記のものだけに限らない。即ち、ユーザが送受話装置２０１を介して音声信号を送出する際、即ち通話を行う際において、送出した音声をリアルタイムで音声変換を行うことができる構成でさえあれば、従来から公知の種々の音声変換装置を用いることができる。
【０１４３】
その後、ステップＳ２１６にて送受話装置２０１がオフフック状態でないことが確認されると、ステップＳ２１７にて回線を切断し、ステップＳ２０９にて待機状態となり、ファクシミリ装置Ｂへの発信処理を終了する（Ｓ２１０）。
【０１４４】
上記のようにして、本発明に係る電話装置は、迷惑電話番号からの着信時のみならず、ユーザから迷惑電話番号へと発信する場合においても音声変換を行うことができる。
【０１４５】
なお、実施の形態１および２では、図２に示す公衆回線網２に接続される電話装置（ファクシミリ装置Ａ）の場合についてのみ説明した。しかしながら、ファクシミリ装置Ｂ、電話機Ｃ、および電話機Ｄについても略同様である。言い換えれば、ファクシミリ装置Ｂの動作についてはファクシミリ装置Ａの動作と同様であり、電話機Ｃ、および電話機Ｄの動作については、ファクシミリ送受信に関する動作（ファクシミリ送受信ルーチン等）が存在しない以外、その動作は同様である。従って、ファクシミリ装置Ｂ、電話機Ｃ、および電話機Ｄの動作については、ここでは省略する。
【０１４６】
上述した本実施の形態では、電話機やファクシミリ装置といった、公衆回線網に接続される有線の電話装置についてのみ説明してきた。しかしながら、本発明に係る電話装置は、発信者電話番号通知サービスを用いた技術であり、発信者電話番号通知サービスを有する通信ネットワーク上に接続される電話装置であれば、どのような電話装置に対しても適用することができる。このような条件を満足する通信ネットワークとしては例えば、携帯電話網が挙げられ、該携帯電話網に接続される電話装置に対しても本発明を適用することが可能である。なお、このような電話装置の具体例としては例えば、ＰＤＣ、ＰＨＳ等が挙げられる。
【０１４７】
なお、上記実施の形態の１および２のファクシミリ装置Ａの各ブロックや各処理ステップは、ハードウェアロジックによって構成してもよいし、次のようにＣＰＵを用いてソフトウェアによって実現してもよい。
【０１４８】
即ち、ファクシミリ装置Ａは、各機能を実現する制御プログラムの命令を実行するＣＰＵ（central processing unit）、上記プログラムを格納したＲＯＭ、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるファクシミリ装置Ａの制御プログラムのプログラムコード（実行形式プログラム、中間コードプログラム、ソースプログラム）をコンピュータで読み取り可能に記録した記録媒体を、上記ファクシミリ装置Ａに供給し、そのコンピュータ（またはＣＰＵやＭＰＵ）が記録媒体に記録されているプログラムコードを読み出し実行することによっても、達成可能である。
【０１４９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５０】
また、ファクシミリ装置Ａを通信ネットワーク（本発明に係る通信ネットワークとして使用される、公衆回線網２や携帯電話網であっても構わない）と接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５２】
本発明の電話装置は、迷惑電話がかかってきた際および／あるいはユーザから迷惑電話番号へと発信する際に、ユーザが入力する音声に対して音声変換を行うことが可能であるため、公衆回線網に接続される電話機、ファクシミリ装置などや、携帯電話網に接続されるＰＤＣ、ＰＨＳなどに広く利用できるものである。
【図面の簡単な説明】
【０１５３】
【図１】本発明の実施の形態を示すものであり、本発明に係る電話装置であるファクシミリ装置の一構成例を示すブロック図である。
【図２】図１に示すファクシミリ装置が接続される、複数の電話装置を備える通信システムの構成図である。
【図３】図１に示すファクシミリ装置が着呼信号（ベル信号）を受信したときの、ファクシミリ装置の動作を示すフローチャートである。
【図４】発信者番号通知サービスにより加入者線交換機から送信される情報のデータフォーマットを示す図である。
【図５】図１に示すファクシミリ装置に設けられる、迷惑電話番号記憶部の構成を示すブロック図である。
【図６】図１に示すファクシミリ装置に設けられる、電子電話帳記憶部の構成を示すブロック図である。
【図７】本発明の実施の形態を示すものであり、本発明に係る電話装置であるファクシミリ装置の別の構成例を示すブロック図である。
【図８】図７に示すファクシミリ装置が発呼信号を発信するときの、ファクシミリ装置の動作を示すフローチャートである。
【符号の説明】
【０１５４】
Ａ，Ｂ  ファクシミリ装置（電話装置）
Ｃ，Ｄ  電話機（電話装置）
１      通信ネットワーク
２      公衆回線網（ＰＳＴＮ）（通信ネットワーク）
２３    制御装置
２９    メモリ装置
２０１  送受話装置（送受話装置）
２０３  音声変換装置（音声変換手段）
２３３  電話番号検出部（電話番号検出手段）
２３４  記憶制御部（登録手段）
２３５  一致検出部（制御手段）
２９２  電話番号記憶部
２９３  迷惑電話番号記憶部（記憶手段）
２９４  電子電話帳記憶部（電子電話帳）
【図１】
2008131310.tif 000003
【図２】
2008131310.tif 000004
【図３】
2008131310.tif 000005
【図４】
2008131310.tif 000006
【図５】
2008131310.tif 000007
【図６】
2008131310.tif 000008
【図７】
2008131310.tif 000009
【図８】
2008131310.tif 000010